(57)【要約】【課題】写真撮影時に、デジタルカメラにおいて、汎用性のあるメタデータを簡単に付与する方法を提供し、メタデータを利用した撮影データの管理を容易ならしめることを目的とする。【解決手段】デジタルカメラが、デジタルカメラの撮影モードを、通常撮影モードとメタデータ撮影モードとの何れかの撮影モードに設定する撮影モード設定手段、メタデータ撮影モードで撮影された撮影データをメタデータ用データとして記憶するメタデータ記憶手段、通常撮影モードで撮影された撮影データに、メタデータ用データとして記憶している撮影データをメタデータとして付与するメタデータ付与手段を有することによって課題を解決する。【選択図】図１
2010288160.tif 000002
【特許請求の範囲】
【請求項１】
撮影装置で撮影データにメタデータを付与するメタデータ付与方法であって、
通常撮影モード又はメタデータ撮影モードを設定する設定工程と、
前記メタデータ撮影モードで撮影された撮影データをメタデータ用データとして記憶する記憶工程と、
前記通常撮影モードで撮影された撮影データに、前記メタデータ用データとして記憶されている撮影データをメタデータとして付与する付与工程と、
を備えるメタデータ付与方法。
【請求項２】
前記付与工程は、メタデータとして付与する撮影データを指定する、請求項１に記載のメタデータ付与方法。
【請求項３】
前記付与工程は、前記メタデータ撮影モードで直近に撮影された撮影データをメタデータとして付与する、請求項１又は２に記載のメタデータ付与方法。
【請求項４】
前記付与工程は、前記メタデータ用データとして記憶している撮影データの中からユーザにより選択された撮影データをメタデータとして付与する、請求項１に記載のメタデータ付与方法。
【請求項５】
前記通常撮影モードのときに、メタデータを付与するか付与しないかを決定する決定工程を更に備える、請求項１に記載のメタデータ付与方法。
【請求項６】
前記メタデータ撮影モードのときに、メタデータの利用形態の指定をユーザより受け付ける受付工程を更に備える、請求項１に記載のメタデータ付与方法。
【請求項７】
前記メタデータの利用形態に応じて前記撮影装置の撮影パラメタを変更する変更工程を更に備える、請求項６に記載のメタデータ付与方法。
【請求項８】
撮影データにメタデータを付与するコンピュータを、
通常撮影モード又はメタデータ撮影モードを設定する設定手段と、
前記メタデータ撮影モードで撮影された撮影データをメタデータ用データとして記憶する記憶手段と、
前記通常撮影モードで撮影された撮影データに、前記メタデータ用データとして記憶されている撮影データをメタデータとして付与する付与手段と、
して機能させるプログラム。
【請求項９】
撮影データにメタデータを付与するメタデータ付与装置であって、
通常撮影モード又はメタデータ撮影モードを設定する設定手段と、
前記メタデータ撮影モードで撮影された撮影データをメタデータ用データとして記憶する記憶手段と、
前記通常撮影モードで撮影された撮影データに、前記メタデータ用データとして記憶されている撮影データをメタデータとして付与する付与手段と、
を備えるメタデータ付与装置。
【発明の詳細な説明】
【技術分野】
【０００１】
本発明は、撮影データにメタデータを付与する方法に関する。
【背景技術】
【０００２】
デジタルカメラで撮影した写真（撮影データ）にメタデータを付与する方法として、Ｅｘｉｆが一般に用いられている。Ｅｘｉｆ（Ｅｘｉｆデータ）は、デジタルカメラの機種、撮影日時、シャッタースピード等の撮影パラメタがメタデータとして撮影時にデジタルカメラで記録され、これらの情報を使って写真を管理するために広く用いられている。
しかしながら、デジタルカメラで記録可能な撮影パラメタ以外のメタデータを利用したい場合は、ユーザが撮影後に手作業でメタデータを付与する必要があり、写真を管理する際の負担になっていた。そこで、撮影パラメタでは表現できないメタデータを撮影時にデジタルカメラで付与する方法が提案されている。例えば、予めコメント情報をデジタルカメラに登録しておき、撮影時にそれをメタデータとして付与する方法が提案されている（特許文献１参照）。また、ＯＣＲモードで事前に撮影した撮影データを指定し、通常モードの撮影データを印刷や表示する際に指定されたＯＣＲモードの撮影データから文字認識によって抽出した文字を写し込む方法が提案されている（特許文献２参照）。
【先行技術文献】
【特許文献】
【０００３】
【特許文献１】特開２００３−１２５３４５号公報
【特許文献２】特開２００１−１７４９００号公報
【発明の概要】
【発明が解決しようとする課題】
【０００４】
しかしながら、上述の特許文献１及び特許文献２に開示されている技術は、何れも文字情報を撮影データに付与することに限定したものであり、汎用性のあるメタデータを撮影時にデジタルカメラで付与することは実現されていない。例えば、特許文献１の方法では、決められたコメントしか付与することができない点に問題がある。また、特許文献２の方法では、ＯＣＲモードで事前に撮影を行う必要があり、文字の抽出に適した写真が事前に撮影できなかった場合にメタデータを付与できない点に問題がある。
【０００５】
本発明はこのような問題点に鑑みなされたもので、汎用性のあるメタデータをより容易に付与することを目的とする。
【課題を解決するための手段】
【０００６】
そこで、本発明は、撮影装置で撮影データにメタデータを付与するメタデータ付与方法であって、通常撮影モード又はメタデータ撮影モードを設定する設定工程と、前記メタデータ撮影モードで撮影された撮影データをメタデータ用データとして記憶する記憶工程と、前記通常撮影モードで撮影された撮影データに、前記メタデータ用データとして記憶されている撮影データをメタデータとして付与する付与工程と、を備えることを特徴とする。
【発明の効果】
【０００７】
本発明によれば、メタデータ撮影モードで撮影された撮影データそのものをメタデータとして付与することにより、撮影時に撮影装置（デジタルカメラ等）を使って汎用性のあるメタデータを付与することが可能である。例えば、ユーザは、撮影場所、撮影時刻に応じてメタデータ撮影モードで撮影することができる。このため、メタデータをデジタルカメラに事前に登録しておく必要がなく、状況に適したメタデータを付与することができる。また、例えば、メタデータ撮影モードで撮影された撮影データを、撮影済みの撮影データに後からメタデータとして付与することができるため、メタデータ用の写真を事前に撮影しておかなくてもメタデータを付与することができる。
【図面の簡単な説明】
【０００８】
【図１】デジタルカメラのモジュール構成を示す図である。
【図２】デジタルカメラの外観を示す図である。
【図３】撮影モード選択処理のフローチャートを示す図である。
【図４】撮影モード選択メニューの一例を示す図である。
【図５】撮影処理の流れの概略を示す図である。
【図６】データ処理のフローチャートを示す図である。
【図７】撮影データを保存するディレクトリ構成を示す図である。
【図８】データ処理のフローチャートを示す図である。
【図９】ＭａｋｅｒＮｏｔｅの一例を示す図である。
【図１０】撮影データ及びメタデータを保存するディレクトリ構成を示す図である。
【図１１】データ処理のフローチャートを示す図である。
【図１２】第２の実施形態に係る撮影モード選択メニューの一例を示す図である。
【図１３】第２の実施形態に係る撮影モード選択処理のフローチャートを示す図である。
【図１４】付与メタデータ選択画面の一例を示す図である。
【図１５】第３の実施形態に係る撮影処理の流れの概略を示す図である。
【図１６】第３の実施形態に係る撮影モード選択メニューの一例を示す図である。
【図１７】第３の実施形態に係る撮影モード選択処理のフローチャートを示す図である。
【図１８】第３の実施形態に係るデータ処理のフローチャートを示す図である。
【図１９】第３の実施形態に係るデータ処理のフローチャートを示す図である。
【図２０】第４の実施形態に係るメタデータ変換処理のフローチャートを示す図である。
【図２１】第４の実施形態に係る撮影モード選択メニューの一例を示す図である。
【図２２】メタデータ変換画面の一例を示す図である。
【発明を実施するための形態】
【０００９】
以下、本発明の実施形態について図面に基づいて説明する。
【００１０】
＜第１の実施形態＞
図１は、本実施形態に係るデジタルカメラのモジュール構成を示す図である。
１０１は、撮影部であり、写真撮影に必要なレンズ、撮像素子等を含んで構成される。１０２は、撮影モード管理部であり、通常撮影モードとメタデータ撮影モードとの切り替えを行い、撮影モードを記憶する。１０３は、メタデータ管理部であり、メタデータ用データの生成、付与、及び記憶を行い、記憶に必要なメモリを保持する。１０４は、撮影パラメタ管理部であり、撮影データのサイズ、画質等の管理を行う。１０５は、撮影データ生成部であり、撮影データの符号化、保存フォーマットへの変換、及び記憶装置１０６への撮影データの保存を行う。１０６は、記憶装置であり、撮影データ等を保存する。なお、記憶装置１０６としては固定式の記憶媒体であっても、着脱可能な記憶媒体であってもよい。１０７は、表示装置であり、デジタルカメラの操作メニュー、撮影データ等を表示する。なお、本実施形態では、ＣＰＵ、コンピュータ等（図示せず。）が、記憶装置１０６に格納されたプログラムの手順に従って処理を行うことによって、デジタルカメラにおける機能及び後述するフローチャートに係る処理が実現されてもよい。
【００１１】
図２は、本デジタルカメラの外観を示す図である。
２０１は、メニューボタンであり、後述する撮影モードの選択画面を表示する際に用いられる。２０２は、カーソルボタンであり、２０３は、決定ボタンであり、２０４は、液晶ディスプレイである。なお、表示装置１０７は、メニューボタン２０１、カーソルボタン２０２、決定ボタン２０３、及び液晶ディスプレイ２０４を含んで構成される。
はじめに、撮影モード選択処理について、図３に示すフローチャートを参照して説明する。
メニューボタン２０１がユーザにより押下されたことをデジタルカメラが検出すると（ステップＳ３０１）、撮影モード管理部１０２は、表示装置１０７に撮影モード選択画面を表示する（ステップＳ３０２）。ここで、図４は、撮影モード選択画面のメニュー構成を示す図である。撮影モード選択画面は、通常撮影（メタデータあり）モード４０１、通常撮影（メタデータなし）モード４０２、及びメタデータ撮影モード４０３により構成され、ユーザは、各々を選択可能である。
カーソルボタン２０２で撮影モードが選択されて決定ボタン２０３が押下されたことをデジタルカメラが検出すると（ステップＳ３０３）、撮影モード管理部１０２は、撮影モード毎の処理を行う。
【００１２】
通常撮影（メタデータあり）モードが選択された場合は、撮影モード管理部１０２は、メタデータ管理部１０３にメタデータ用データを記憶しているか否かを問い合わせる。ここで、メタデータ管理部１０３は、付与できるメタデータが撮影されているか否かをチェックする（ステップＳ３０４）。メタデータ管理部１０３がメタデータ用データを記憶している場合、メタデータ管理部１０３は、記憶しているメタデータ用データの状態を「有効」に設定する（ステップＳ３０５）。続いて、設定手段の一例である撮影モード管理部１０２は、撮影モードを記憶し（ステップＳ３０６）、処理を終える。他方、メタデータ管理部１０３がメタデータ用データを記憶していない場合、撮影モード管理部１０２は、通常撮影（メタデータあり）モードには設定できない旨をユーザに通知し（ステップＳ３０７）、撮影モード選択画面を表示する。
【００１３】
次に、通常撮影（メタデータなし）モードが選択された場合は、撮影モード管理部１０２は、以後の撮影でメタデータが付与されないよう、メタデータ管理部１０３にメタデータ用データの無効化を指示する。ここで、メタデータ管理部１０３は、記憶しているメタデータ用データの状態を「無効」にする（ステップＳ３０８）。続いて、撮影モード管理部１０２は、撮影モードを記憶し（ステップＳ３０６）、処理を終える。
また、メタデータ撮影モードが選択された場合は、撮影モード管理部１０２は、撮影モードを記憶し（ステップＳ３０６）、処理を終える。
以上が撮影モード選択処理である。
【００１４】
次に、撮影時のデータ処理について説明する。ここで、図５に、本実施形態に係る撮影処理の流れの一例を示す。
まず、メタデータ撮影モードにおける撮影時のデータ処理について、図６に示すフローチャートを参照して説明する。
撮影部１０１は、ユーザによる撮影が行われると、撮影データ生成部１０５に撮像素子の出力データを渡す（ステップＳ５０１）。撮影データ生成部１０５は、受け取った出力データから撮影データを生成する。本実施形態では、撮影データにＥｘｉｆ（Ｅｘｉｆ形式のフォーマット）を用いるものとする。撮影データ生成部１０５は、撮像素子の出力データをＪＰＥＧ符号化し（ステップＳ５０２）、符号化したＪＰＥＧデータと撮影パラメタ等の情報とからＥｘｉｆの撮影データを生成する（ステップＳ５０３）。
撮影データ生成部１０５は、生成した撮影データを記憶装置１０６に保存する（ステップＳ５０４）。本実施形態では、撮影データの保存形式にＤＣＦ形式を用いるものとする。ここで、図７に、記憶装置１０６上に撮影データを保存するディレクトリ構造及びファイルの例を示す。ここでは、「IMG_1001.jpg」が保存された撮影データとする。撮影データ生成部１０５は、撮影データを記憶装置１０６に保存すると、メタデータ管理部１０３にメタデータ処理を指示する（ステップＳ５０５）。本実施形態においては、撮影データ生成部１０５は、保存した撮影データのＤＣＦファイル名（「IMG_1001」）をメタデータ管理部１０３に通知することで指示を行うものとする。
メタデータ管理部１０３は、ＤＣＦファイル名の通知を受けると、撮影モード管理部１０２に撮影モードを問い合わせる（ステップＳ５０６）。ここでは、撮影モード管理部１０２は、メタデータ撮影モードが選択されていることを返答する。
【００１５】
ここで、記憶手段の一例であるメタデータ管理部１０３は、メタデータ撮影モード時は、撮影データをメタデータ用データとして記憶する処理を行う。メタデータ管理部１０３は、ステップＳ５０５で通知されたＤＣＦファイル名（「IMG_1001」）をメタデータ用データとしてメモリに記憶する（ステップＳ５０７）。本実施形態においては、付与されるメタデータは、メタデータ撮影モードで直近に撮影された撮影データに固定とする。例えば、メタデータ撮影モードで連続して撮影が行われた場合でも、メタデータ管理部１０３は、最後に撮影された撮影データのＤＣＦファイル名だけを記憶する。また、撮影モードの選択において通常撮影（メタデータあり）モードが選択されるまで、記憶したメタデータ用データの状態は、「無効」に設定されているものとする。
なお、メタデータ撮影モードで撮影された撮影データが記憶装置１０６から削除された場合は、メタデータ管理部１０３は、記憶しているＤＣＦファイル名を削除する。さらに、記憶装置１０６に着脱可能な記憶媒体が用いられ、デジタルカメラの外部においてメタデータ撮影モードで撮影された撮影データが削除された場合も、メタデータ管理部１０３は、ＤＣＦファイル名を削除する。その際、メタデータ管理部１０３は、記憶しているＤＣＦファイル名と記憶装置１０６に保存されている撮影データとの同期をとり、対応する撮影データが保存されていないＤＣＦファイル名を削除する。なお、これに必要なメタデータ管理部１０３で記憶しているＤＣＦファイル名と記憶装置１０６上の保存データとの同期をとる構成も本実施形態に含まれる。
以上がメタデータ撮影モードにおける処理である。
【００１６】
次に、通常撮影（メタデータあり）モードにおける撮影時のデータ処理について図８に示すフローチャートを参照して説明する。
ステップＳ７０１からステップＳ７０５までの処理は、メタデータ撮影モードにおける処理（ステップＳ５０１からステップＳ５０５までの処理）と同様であるので説明を省略する。また、ここでは、撮影データがＤＣＦファイル「IMG_1002.jpg」に保存されたものとする。
ステップＳ７０５に続いて、メタデータ管理部１０３は、撮影モード管理部１０２に撮影モードを問い合わせる（ステップＳ７０６）。ここでは、通常撮影（メタデータあり）モードが撮影モード管理部１０２により返答される。通常撮影（メタデータあり）モード時は、メタデータ管理部１０３は、メモリに記憶しているメタデータ用データのうち状態が「有効」になっているＤＣＦファイル名（この例では「IMG_1001」である。）を取得する（ステップＳ７０７）。ここで、撮影モード選択時の処理において、メタデータ管理部１０３がメタデータ用データを記憶していない場合は、ユーザは、通常撮影（メタデータあり）モードを選択することができない（ステップＳ３０７の説明を参照。）。また、メタデータ管理部１０３は、通常撮影（メタデータあり）モード選択時にメタデータ用データの状態を「有効」に設定する（ステップＳ３０５の説明を参照。）。したがって、ステップＳ７０７では、メタデータ管理部１０３は、必ずＤＣＦファイル名を取得する。そして、メタデータ管理部１０３は、記憶装置１０６から当該ファイル（「IMG_1001.jpg」）を読み出す（ステップＳ７０８）。すなわち、付与手段の一例であるメタデータ管理部１０３は、メタデータとして付与する撮影データを指定する。
【００１７】
続いて、メタデータ管理部１０３は、読み出したファイルをメタデータとして付与する処理を行う。
まず、メタデータ管理部１０３は、ステップＳ７０５で撮影データ生成部１０５から通知された現在の撮影データのＤＣＦファイル名（ここでは、「IMG_1002」)に拡張子「met」を付けたファイル名（「IMG_1002.met」）を生成する。そして、メタデータ管理部１０３は、ステップＳ７０８で読み出したメタデータ用データをこの名前で記憶装置１０６に保存する（ステップＳ７０９）。
続いて、メタデータ管理部１０３は、ステップＳ７０５で通知された現在の撮影データのファイル（「IMG_1002.jpg」）を記憶装置１０６から読み出す（ステップＳ７１０）。メタデータ管理部１０３は、メタデータが付与されていることを示す情報を当該ファイルのＥｘｉｆデータに記録して記憶装置１０６に保存する（ステップＳ７１１）。本実施形態においては、ＥｘｉｆデータのＭａｋｅｒＮｏｔｅ領域内にメタデータ付与の有無を示すタグを定義するものとする。図９に、ＭａｋｅｒＮｏｔｅの構成を示す。本実施形態では、ＴａｇＮｏ８０１に０ｘＦＦを定義し、Ｖａｌｕｅ８０５が１の場合に、メタデータが付与されていることを示す。また、図１０に、メタデータ付与後のＤＣＦファイルの構成を示す。IMG_1001.jpg（９０１）がメタデータ撮影モードで撮影された撮影データである。IMG_1002.jpg（９０２）が通常撮影（メタデータあり）モードで撮影された撮影データである。IMG_1002.met（９０３）がIMG_1002.jpg（９０２）に付与されたメタデータである。
本実施形態においては、ユーザが、メタデータ撮影モードで新たに撮影を行うか、通常撮影（メタデータなし）モードが選択されるまで、メタデータ管理部１０３は、通常撮影（メタデータあり）モードで撮影された撮影データには同じメタデータを付与する。
また、通常撮影（メタデータあり）モードで撮影された撮影データが記憶装置１０６から削除され場合は、メタデータ管理部１０３は、付与されているメタデータ用データも同時（或いは、適宜のタイミング）に削除する。
以上が通常撮影（メタデータあり）モードにおける処理である。
【００１８】
次に、通常撮影（メタデータなし）モード選択時の撮影処理について図１１のフローチャートを参照して説明する。
ステップＳ１００１からステップＳ１００６までの処理は、メタデータ撮影モードにおける処理（ステップＳ５０１からステップＳ５０６までの処理）と同様であるので説明を省略する。なお、それ以降は、撮影データに対する処理は行われずに終了する。
以上が通常撮影（メタデータなし）モードにおける処理である。
【００１９】
＜第２の実施形態＞
第１の実施形態においてメタデータとして付与されるデータは、メタデータ撮影モードで直近に撮影された撮影データに固定であるとした。本実施形態においては、メタデータ撮影モードで撮影された撮影データの中からユーザが選択した任意の撮影データをメタデータとして付与することができる。なお、本実施形態に係るデジタルカメラのモジュール構成は、第１の実施形態と同様であるので説明を省略する。
図１２は、本実施形態に係る撮影モード選択画面のメニュー構成を示す図である。通常撮影（メタデータなし）モードとメタデータ撮影モードとに関しては、第１の実施形態と同様であるので説明を省略する。
本実施形態では、撮影モード選択画面は、通常撮影（メタデータあり）モード１１０１のサブメニューとして、付与メタデータ選択メニュー１１０２を有する。付与するメタデータとしては、「直近に撮影したメタデータ」１１０３及び「撮影済みメタデータから選択」１１０４の何れかが指定可能である。ユーザにより「直近に撮影したメタデータ」１１０３が指定された場合は、第１の実施形態と同様であるので説明を省略する。以下に、ユーザにより「撮影済みメタデータから選択」１１０４が指定された場合に行われる処理を説明する。
【００２０】
はじめに、撮影モード選択処理について図１３に示すフローチャートを参照して説明する。付与メタデータ選択メニューで「撮影済みメタデータから選択」１１０４が指定された場合、撮影モード管理部１０２は、図１４に示すメタデータ選択画面を表示装置１０７に表示する（ステップＳ１２０１）。メタデータ選択画面には、メタデータ管理部１０３が記憶しているメタデータ用データの一覧１３０１とメタデータ用データのプレビュー１３０２とが表示される。ここで、デジタルカメラは、カーソルボタン２０２を使って付与するメタデータが選択され、決定ボタン２０３が押下されたことを検出する（ステップＳ１２０２）。続いて、メタデータ管理部１０３は、選択されたメタデータ用データの状態を「有効」に設定し、それ以外のメタデータ用データの状態を「無効」に設定する（ステップＳ１２０３）。続いて、撮影モード管理部１０２は、撮影モードを記憶し（ステップＳ１２０４）、処理を終える。
【００２１】
次に、メタデータ撮影モードにおける撮影時のデータ処理について説明する。基本的な処理は、第１の実施形態と同様である。第１の実施形態では、メタデータ管理部１０３は、メタデータ撮影モードで直近に撮影された撮影データのＤＣＦファイル名だけをメタデータ用データとして記憶する。しかしながら、本実施形態においては、メタデータ管理部１０３は、メタデータ撮影モードで撮影された全ての撮影データのＤＣＦファイル名をメタデータ用データとして記憶する。なお、メタデータ管理部１０３が記憶した直後のメタデータ用データの状態は「無効」に設定されており、前述したステップＳ１２０３の処理が行われない限りは「無効」の状態が維持される。すなわち、状態が「有効」となっているメタデータ用データの数は、通常撮影（メタデータあり）モード選択時は１つ、それ以外の撮影モード選択時は０となる。
本実施形態においても、第１の実施形態と同様に、メタデータ撮影モードで撮影された撮影データが記憶装置１０６から削除された際は、メタデータ管理部１０３は、対応するＤＣＦファイル名を削除する。
また、通常撮影（メタデータあり）モードでの撮影時のデータ処理については、基本的に第１の実施形態と同様である。本実施形態においては、メタデータ用データが複数記憶されるが、メタデータ管理部１０３が撮影データにメタデータとして付与するのは状態が「有効」になっているメタデータ用データである（ステップＳ７０７の説明を参照。）。また、本実施形態において通常撮影（メタデータあり）モード時に状態が「有効」となっているメタデータ用データは１つである。すなわち、メタデータ管理部１０３が記憶しているメタデータ用データの数によらず、付与すべきメタデータ用データは一意に定まる。そして、メタデータ用データを１つだけ記憶している第１の実施形態と同様の処理によりメタデータが付与される。
また、通常撮影（メタデータなし）モードにおける撮影処理については、第１の実施形態と同様であるので説明を省略する。
【００２２】
＜第３の実施形態＞
第１の実施形態及び第２の実施形態では、通常撮影（メタデータあり）モードで撮影する前にメタデータ撮影モードで撮影を行うことを前提としていた。本実施形態においては、通常撮影（メタデータあり）モードの後にメタデータ撮影モードで撮影された撮影データを、メタデータとして付与することができる。図１５に、本実施形態に係る撮影処理の流れの一例を示す。なお、本実施形態に係るデジタルカメラのモジュール構成は、第１の実施形態と同様であるので説明を省略する。
図１６は、本実施形態に係る撮影モード選択画面のメニュー構成を示す図である。撮影モード選択画面は、第２の実施形態と同様に、通常撮影（メタデータあり）モード１１０１のサブメニューとして、付与メタデータ選択メニュー１１０２を有する。本実施形態においては、付与するメタデータとして、「直近に撮影したメタデータ」１１０３及び「撮影済みメタデータから選択」１１０４に加えて「次に撮影するメタデータ」１４０５が指定可能である。以下に、ユーザにより「次に撮影するメタデータ」１４０５が指定された場合に行われる処理を説明する。
【００２３】
まず、撮影モード選択処理について図１７に示すフローチャートを参照して説明する。「次に撮影するメタデータ」１４０５が選択されると、メタデータ管理部１０３は、メモリに記憶しているメタデータ用データの状態を全て「無効」に設定する（ステップＳ１５０１）。続いて、撮影モード管理部１０２は、撮影モードと付与メタデータモードとを記憶し（ステップＳ１５０２）、処理を終える。
【００２４】
次に、通常撮影（メタデータあり）モードにおける撮影時のデータ処理について、図１８に示すフローチャートを参照して説明する。
ステップＳ１６０１からステップＳ１６０５までの処理は、第１の実施形態の処理（ステップＳ７０１からステップＳ７０５までの処理）と同様であるので説明を省略する。ここでは、撮影データがＤＣＦファイル「IMG_1005.jpg」に保存されたものとする。ステップＳ１６０５に続いて、メタデータ管理部１０３は、撮影モード管理部１０２に撮影モードを問い合わせる（ステップＳ１６０６）。ここでは、通常撮影（メタデータあり）モードと併せて、付与メタデータモードの「次に撮影するメタデータ」１４０５が返答される。「次に撮影するメタデータ」１４０５を含む返答がされた場合、メタデータ管理部１０３はステップＳ１６０５で通知された現在の撮影データのＤＣＦファイル名（「IMG_1005」）をメタデータ付与待ちデータとしてメモリに記憶する（ステップＳ１６０７）。すなわち、決定手段の一例であるメタデータ管理部１０３は、通常撮影（メタデータあり）モードのときに、メタデータを付与するか付与しないかを決定する。
本実施形態においては、メタデータ撮影モードで撮影が行われるまで、メタデータ管理部１０３は、通常撮影（メタデータあり）モードで撮影された撮影データのＤＣＦファイル名をメタデータ付与待ちデータとして記録する。
また、通常撮影（メタデータあり）モードで撮影された撮影データが記憶装置１０６から削除された場合は、メタデータ管理部１０３は、記憶しているメタデータ付与待ちデータを同時に（或いは、適宜のタイミングで）削除する。
以上が通常撮影（メタデータあり）モードにおける処理である。
【００２５】
次に、メタデータ撮影モードにおける撮影時のデータ処理について、図１９のフローチャートを参照して説明する。
ステップＳ１７０１からステップＳ１７０５までの処理は、ステップＳ１６０１からステップＳ１６０５までの処理と同様であるので説明を省略する。ステップＳ１７０５に続いて、メタデータ管理部１０３は、撮影モード管理部１０２に撮影モードを問い合わせる（ステップＳ１７０６）。ここでは、メタデータ撮影モードとメタデータ付与モードとして「次に撮影するメタデータ」１４０５とが返答される。メタデータ管理部１０３は、ステップＳ１７０５で通知された現在の撮影データのＤＣＦファイル名（ここでは「IMG_1007」）をメタデータ用データとしてメモリに記憶する（ステップＳ１７０７）。
続いて、メタデータ管理部１０３は、このファイル（「IMG_1007.jpg」）を記憶装置１０６から読み出してメモリに記憶する（ステップＳ１７０８）。続いて、メタデータ管理部１０３は、メタデータ付与待ちデータとしてメモリに記憶しているＤＣＦファイル名（ここでは「IMG_1005」、「IMG_1006」）を取得する（ステップＳ１７０９）。メタデータ管理部１０３は、ステップＳ１７０８で記憶したメタデータ用データを、メタデータ付与待ちデータと同名のＤＣＦファイル名で記憶装置１０６に保存する（ステップＳ１７１０）。この例では、メタデータ管理部１０３は、メタデータ付与待ちデータのファイル名に拡張子「met」を付けたファイル名（「IMG_1005.met」、「IMG_1006.met」）でメタデータ用データを記憶装置１０６に保存する。
続いて、メタデータ管理部１０３は、メタデータを付与した撮影データ（「IMG_1005.jpg」、「IMG_1006.jpg」）にメタデータが付与されていることを示す情報を追加する（ステップＳ１７１１）。この処理は、第１の実施形態で説明した方法（ステップＳ７１０及びステップＳ７１１の処理）と同様であるので説明を省略する。続いて、メタデータ管理部１０３は、メタデータ付与待ちデータとしてメモリに記憶しているＤＣＦファイル名（「IMG_1005」、「IMG_1006」）をメモリから消去する（ステップＳ１７１２）。
以上がメタデータ撮影モードにおける処理である。
なお、本実施形態においてメタデータ撮影モードで撮影された撮影データもメタデータ用データとしての利用形態が記憶されており、第１の実施形態及び第２の実施形態におけるメタデータ用データとしても利用可能である。
【００２６】
＜第４の実施形態＞
本実施形態では、メタデータ撮影モードの撮影時に、メタデータの利用形態を選択することが可能である。すなわち、デジタルカメラは、メタデータの利用形態の指定をユーザより受け付ける受付手段を有する。なお、メタデータの利用形態としては、サムネイル用、ＯＣＲ用、バーコード用等を用いることができるが、具体的な利用方法については言及しない。
また、本デジタルカメラは、メタデータの利用方法に応じて撮像パラメタを自動的に変更、設定してもよい。例えば、デジタルカメラは、サムネイル用が選択された場合は、ＤＣＦ規格に準拠した横画素数１６０、縦画素数１２０の撮影データを保存する。サムネイル用が選択された場合は、デジタルカメラは、メタデータとして付与した撮影データを別ファイル（拡張子が「met」のもの）として保存する代わりに、メタデータを付与する撮影データのＤＣＦ基本サムネイルとして保存する。すなわち、デジタルカメラは、メタデータの利用形態に応じてデジタルカメラの撮影パラメタを変更する変更手段を有する。
また、デジタルカメラは、ＯＣＲ用として保存した撮影データをＯＣＲにかけて文字を抽出する装置、バーコード用として保存した撮影データのバーコードを読み取る装置を含んで構成されてもよい。例えば、読み取った文字、バーコード等の情報に応じた処理を行う装置を含むシステムの一部としてデジタルカメラを用いる場合も、実施形態に含まれる。
【００２７】
＜第５の実施形態＞
以上の実施形態において、デジタルカメラがメタデータ用データを保存する場合は、メタデータ撮影モードで撮影することとしていた。本実施形態に係るデジタルカメラは、通常撮影モードで撮影された撮影データを、撮影後にメタデータ用データに変換して保存する。なお、本実施形態に係るデジタルカメラのモジュール構成は、第１の実施形態と同様であるので説明を省略する。
以下、図２０に示すフローチャートを参照して通常撮影モードで撮影された撮影データをメタデータ用データとして保存する処理を説明する。
ここで、図２１は、本実施形態における撮影モード選択メニューを示す図であり、図４に示す撮影モード選択メニューにメタデータ変換１９０１が追加されている。
メタデータ変換が選択されて決定ボタン２０３がユーザにより押下されたことをデジタルカメラが検出すると、メタデータ管理部１０３は、図２２に示すメタデータ変換画面を表示装置１０７に表示する（ステップＳ１８０１）。メタデータ変換画面には、記憶装置１０６に保存されている撮影データが一覧表示される。本実施形態においては、通常撮影（メタデータなし）モードで撮影された撮影データのみが表示されるものとする。ここで、デジタルカメラは、カーソルボタン２０２でメタデータ用データに変換する撮影データが選択され、決定ボタン２０３が押下されたことを検出する（ステップＳ１８０２）。続いて、メタデータ管理部１０３は、選択された撮影データのＤＣＦファイル名をメタデータ用データとしてメモリに記憶する（ステップＳ１８０３）。以降、メニューボタン２０１が押下されるまで以上の処理が繰り返される。
【００２８】
＜第６の実施形態＞
以上の実施形態において、メタデータとして付与可能な撮影データは１つであるとしていたが、これに限定されるものではなく、本実施形態に係るデジタルカメラは、複数の撮影データをメタデータとして付与する。
【００２９】
＜第７の実施形態＞
本実施形態においては、メタデータ管理部１０３は、メタデータ撮影モードで撮影が行われてから予め定められた時間（指定時間）が経過したか否かを判別し、自動的にメタデータ用データの状態を「無効」に設定する。ここで、メタデータ管理部１０３がメタデータ用データを「無効」に設定した後の通常撮影（メタデータあり）モードでの撮影時には、表示装置１０７は、メタデータが付与されない旨を表示（警告）してもよい。
【００３０】
＜第８の実施形態＞
本実施形態においては、デジタルカメラの電源がOFFにされることをデジタルカメラが探知した場合に、メタデータ管理部１０３は、自動的にメタデータ用データの状態を「無効」に設定する。ここで、メタデータ管理部１０３がメタデータ用データを「無効」に設定した後の通常撮影（メタデータあり）モードでの撮影時には、表示装置１０７は、メタデータが付与されない旨を表示（警告）してもよい。
【００３１】
＜第９の実施形態＞
本実施形態においては、デジタルカメラは、メタデータ撮影モードでの撮影後に自動的に通常撮影（メタデータあり）モードに切り替える。
【００３２】
＜第１０の実施形態＞
本実施形態では、Ｅｘｉｆ以外のメタデータを付与する方法、別のファイルに記録する方法等を採用してもよい。また、メタデータのＤＣＦファイル（撮影データと同名で拡張子が「met」のもの）の存在をもってメタデータが付与されていることを識別する方法を採用しても実現可能である。
【００３３】
＜第１１の実施形態＞
本実施形態に係るデジタルカメラにおいて、通常撮影（メタデータあり）モードで撮影が行われる際は、表示装置１０７は、メタデータとして付与される撮影データをプレビュー表示と同時（略同時も含む。）に表示してもよい。
【００３４】
＜第１２の実施形態＞
本実施形態に係るデジタルカメラにおいては、表示装置１０７は、メタデータ撮影モードで撮影された撮影データを表示せず、通常撮影モードで撮影された撮影データのみを表示してもよい。
【００３５】
＜第１３の実施形態＞
本実施形態は、上述した実施形態に限定されるものではなく、例えば、デジタルカメラは、付与したメタデータを削除し、別の撮影データで置き換える手段を有する。
【００３６】
＜第１４の実施形態＞
上述した実施形態の各工程は、ネットワーク又は各種記憶媒体を介して取得したソフトウェア（プログラム）をパソコン等の処理装置（ＣＰＵ、プロセッサ）にて実行することでも実現できる。
【００３７】
＜その他の実施形態＞
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００３８】
１０１  撮影部、  １０２  撮影モード管理部、  １０３  メタデータ管理部、  １０４  撮影パラメタ管理部、  １０５  撮影データ生成部、  １０６  記憶装置、  １０７  表示装置
【図１】
2010288160.tif 000003
【図２】
2010288160.tif 000004
【図３】
2010288160.tif 000005
【図４】
2010288160.tif 000006
【図５】
2010288160.tif 000007
【図６】
2010288160.tif 000008
【図７】
2010288160.tif 000009
【図８】
2010288160.tif 000010
【図９】
2010288160.tif 000011
【図１０】
2010288160.tif 000012
【図１１】
2010288160.tif 000013
【図１２】
2010288160.tif 000014
【図１３】
2010288160.tif 000015
【図１４】
2010288160.tif 000016
【図１５】
2010288160.tif 000017
【図１６】
2010288160.tif 000018
【図１７】
2010288160.tif 000019
【図１８】
2010288160.tif 000020
【図１９】
2010288160.tif 000021
【図２０】
2010288160.tif 000022
【図２１】
2010288160.tif 000023
【図２２】
2010288160.tif 000024